(57)【特許請求の範囲】
【請求項１】
扉の錠のラッチボルト及び／又はデッドボルトを係入させるため、扉枠又は両開き扉の他の扉に取り付けられるストライクにおいて；ストライク板とトロヨケとで形成される空間部に内側から順に作動板及び内ケースを装着すること；作動板は上下方向にのみ移動可能にすると共に、ラッチボルト及び／又はデッドボルトに対する係合部を有する内ケースは正面から見て左右方向にのみ移動可能にすること；作動板には案内斜孔を穿設すると共に、作動板の中央部には板カムを収容する切除部を設けること；内ケースの外底部には前記案内斜孔に可動に嵌め込まれる突起を突設すると共に、内ケースの底部には板カムの回転操作軸を回転可能に嵌め合せるための受け孔を穿設すること；回転操作軸の工具係着部は前記受け孔から内ケース内に露出させること；及び、板カムはその周縁を前記作動板の切除部における上下の端縁に摺接させるようにして該作動板の切除部に収容することを構成条件とするカム式調整ストライク。
【発明の詳細な説明】
【０００１】
【発明の属する技術分野】
この発明は、扉の錠のラッチボルト等を係入させるため、扉枠又は両開き扉における他の扉に取り付けられるカム式の調整ストライクに関する。
【０００２】
【従来の技術】
調整用の回転軸をドライバ等で回すことにより板カムを回動変位させ、係合部を有する内ケースを左右方向（水平方向）に動かして調整できるようにした従来のカム式ストライクとしては、例えば、実公平６−４３４０６号公報、実公平６−４９７８０号公報又は実開平７−１０３０７号公報等に記載されたものを挙げることができる。
【０００３】
これらのストライクでは、突出位置にあるラッチボルト等と内ケースの係合部との位置関係を適正に調整して風や振動による扉のがたつきを排除するについて、ストライクの取付け後に極めて簡単な操作でそのがたつきを無くすことができるので、なかなか便利である。
【０００４】
【発明が解決しようとする課題】
しかしながら、従来のこの種のカム式ストライクにおいては、扉が大きな風圧を受けラッチボルト等が内ケースの係合部に強く衝突すると、その衝撃力の大部分が内ケースとトロヨケとの間を直接剛的に接続している板カムに伝えられることになる。
【０００５】
従って、板カム部分にはかなり大きな力が頻繁に作用して、回転操作軸を含む板カム部分は極めて損傷しやすいことになる。
【０００６】
この発明のカム式調整ストライクは、比較的小部品である板カムの破損を防止することを目的として提案されたものである。
【０００７】
【課題を解決するための手段】
上記の目的を達成するため、この発明は、扉の錠のラッチボルト及び／又はデッドボルトを係入させるため、扉枠又は両開き扉の他の扉に取り付けられるストライクにおいて；ストライク板とトロヨケとで形成される空間部に内側から順に作動板及び内ケースを装着すること；作動板は上下方向にのみ移動可能にすると共に、ラッチボルト及び／又はデッドボルトに対する係合部を有する内ケースは正面から見て左右方向にのみ移動可能にすること；作動板には案内斜孔を穿設すると共に、作動板の中央部には板カムを収容する切除部を設けること；内ケースの外底部には前記案内斜孔に可動に嵌め込まれる突起を突設すると共に、内ケースの底部には板カムの回転操作軸を回転可能に嵌め合せるための受け孔を穿設すること；回転操作軸の工具係着部は前記受け孔から内ケース内に露出させること；及び、板カムはその周縁を前記作動板の切除部における上下の端縁に摺接させるようにして該作動板の切除部に収容することを構成条件とする。
【０００８】
【発明の実施の形態】
以下、図面に示す実施例に基いてこの発明について説明する。
この発明のカム式調整式ストライクは、扉の錠のラッチボルト及び／又はデッドボルト（以下「ラッチボルト等」と略称する）を係入させるため、扉枠又は両開き扉における他の扉に取り付けて用いるものである。
【０００９】
図示例のストライクは、突出させたラッチボルト及びデッドボルトを共に受け入れることができるようにした共用タイプのもので、縦長に、すなわち上下方向に長く作られているが、ラッチボルト又はデッドボルトを単一で係入させるようにする場合は、ストライクの全長（上下方向の長さ）は勿論短くして製作することができる。
【００１０】
図１〜図４において、符号１はストライク板で、１１はラッチボルト等が差し込まれる開口、１２は扉枠又は他の扉に対する取付け用のねじ孔、１３は後記の内ケース５の舌片５２に対する案内溝である。
【００１１】
ストライク板１の後方に設けられる固定の外ケースであるトロヨケ２は、前方が開口された箱形をなし、上下部分には取付けのためのフランジ２１、２１を有する。符号２２は扉枠又は他の扉に対する取付け用のねじ孔である。
【００１２】
ストライク板１とトロヨケ２とで形成される空間部には内側から順に作動板３、板カム４及び内ケース５を可動な状態で装着する。換言すれば、トロヨケ２、作動板３並びにカム４、内ケース５及びストライク板１は、図４に示す矢印Ａ〜Ｄの順に重ね合わせて組み付けられる。
【００１３】
トロヨケ２に作動板３、板カム４及び内ケース５を入れた後、ストライク板１はトロヨケ２に蓋をするようにして固定されるものであるが、その固定手段としては、バーリングによるかしめ付け、溶接、取付けねじ等による締付けその他任意の手段を採用し得る。
【００１４】
作動板３は横断面において前方が開放されたコ字状をなし、その上下方向（縦方向）についてはトロヨケ２の長さ方向の内法よりも短く形成してあり、トロヨケ２内で上下方向（縦方向）にのみ移動可能にしてある。
【００１５】
作動板３の本体部分には後記の内ケース５の突起５３が可動に嵌め込まれる任意数の案内斜孔３１が穿設され、その中央部には後記の板カム４を収容する切除部３２を設ける。
【００１６】
作動板３の一方の側板に設けられた切欠き３３は、トロヨケ２の一方の側板に鋲などで固着される板ばねその他の押しばね６を該作動板３の変位の際に逃がすための逃げ穴として機能する。
【００１７】
図示例においては、作動板３はトロヨケ２の内面及び内ケース５の外底面によって案内されトロヨケ２内で上下方向（矢印Ｐ方向）にのみ可動とされる。
【００１８】
前記の作動板３における切除部３２には作動板３とほぼ同じ厚さの板カム４が収容されており、板カム４の前後面は内ケース５及びトロヨケ２の底板で挟まれている。
【００１９】
図５に明示するように、板カム４の正面形は好ましくは多角形をなし、その回転操作軸４１は板カム４の偏心させた位置において前方に向け突設させてある。
【００２０】
回転操作軸４１の突出部分は薄い円柱状をなし、後記の内ケース５の受け孔５４に回転可能に嵌め合せてある。
【００２１】
また、回転操作軸４１の外端にはドライバ等の工具の先端を係着させる工具係着部４２が設けてあり、その工具係着部４２は内ケース５内に露出する。
【００２２】
内ケース５は前方が開口された箱形をなし、一方の側板、例えば、右方の側板はラッチボルト等の背面が当接する係合部５１として機能する。
【００２３】
内ケース５の開口部における両側部分には任意数のフランジ状をなす舌片５２を備えており、内ケース５の外底面には低いピンの形状をなす任意数の突起５３が突設してある。それら突起５３は上述の作動板３の案内斜孔３１に可動に嵌め込まれる。
【００２４】
更に、内ケース５の底板の中央部には円形の受け孔５４が穿設してあって、これには上記の板カム４の回転操作軸４１が回動可能に嵌め合わせてある。
【００２５】
内ケース５はトロヨケ２よりも幅狭とされて正面から見て左右方向（矢印Ｑ方向）にのみ移動可能とされている。
【００２６】
内ケース５の左右方向への移動の案内は、内ケース５の外面とトロヨケ２の内面との摺接、内ケース５の一部の舌片５２とストライク板１の案内溝１３との可動の嵌め合わせ、及び、内ケース５の他の舌片５２とストライク板１の裏面とトロヨケ２の前方縁との間に設けた隙間２３との可動の嵌め合わせによって行われる。
【００２７】
図２及び図４に示す板ばねその他の押しばね６は、トロヨケ２の一方の側板と内ケース５の一方の側板と内ケース５の一方の側板との間に装着され、内ケース５をトロヨケ２の他方の側板に向け、すなわち内ケース５の係合部５１がトロヨケ２の他方の側板に近づく方向に付勢させてある。
【００２８】
この押しばね６は内ケース５の突起５３を作動板３の案内斜孔３１の縁部に確実に押圧させるために必要に応じて設けたもので、遊びが多少存在していても内ケース５を安定した状態でセッティングができるようにしたものである。
【００２９】
上記のような構成のこの発明のストライクにおいて、内ケース５を左右方向（Ｑ方向）に移動させてその係合部５１が適切な位置を占めるようにするためには、ドライバ等の工具の先端を回転操作軸４１の工具係着部４２に係着して該操作軸４１を右又は左回りに回す。
【００３０】
その際、操作軸４１と共に回動変位する板カム４はその周縁で作動板３の切除部３２における上方又は下方の端縁３４に摺接し、該作動板３を矢印Ｐで示すように上方又は下方に変位させる。
【００３１】
そして、作動板３の案内斜孔３１と内ケース５の突起５３との係合により、左右方向（矢印Ｑ方向）への移動のみが許容された内ケース５を左又は右方向に変位させる。
【００３２】
前記の作用により、内ケース５の係合部５１はラッチボルト等に対し適正位置が占められるよう調整されることになり、扉の閉鎖時ラッチボルト等との間にがたつきを生じさせないようにすることができる。
【００３３】
【発明の効果】
以上に説明したこの発明のカム式調整ストライクによれば、板カムが取り付けられた内ケースとトロヨケとの間に作動板が介在させてあるので、ラッチボルト等から内ケースの係合部に押圧力が付与された際、内ケースの突起と作動板の案内斜孔との嵌め込み構造により、内ケースに対して作用した力がトロヨケと板カムとに分散されて伝達されることになる。そのため、回転操作軸を含む板カムに掛かる力を半分程度に減じることができ、板カムの損傷を著しく減少させるという効果を奏する。
【図面の簡単な説明】
【図１】この発明のカム式調整ストライクの実施例を示す正面図。
【図２】図１のＩＩ−ＩＩ線による部分横断底面図。
【図３】図１のＩＩＩ−ＩＩＩ線による部分縦断側面図。
【図４】図１に示すストライクの分解正面図。
【図５】図１のストライクから取り外した板カムを拡大して示した図面で、（Ａ）は正面図、（Ｂ）は平面図である。
【符号の説明】
１  ストライク板
２  トロヨケ
３  作動板
３１  案内斜孔
３２  切除部
３４  端縁
４  板カム
４１  回転操作軸
４２  工具係着部
５  内ケース
５１  係合部
５３  突起
５４  受け孔
【図１】
0003838588.tif 000002
【図２】
0003838588.tif 000003
【図３】
0003838588.tif 000004
【図４】
0003838588.tif 000005
【図５】
0003838588.tif 000006